(57)【要約】      （修正有）【課題】綱車を囲う構成を少ない部品点数で実現すると共に、排気装置の設置を必要としない簡易な構造のロープ油飛散防止装置を実現し、コスト増を抑制したエレベータの巻上装置を提供する。【解決手段】一端がかごに止着され、他端が釣り合いおもりに止着されるエレベータロープを綱車１１に巻き掛け、上記綱車を駆動装置８により回転させて上記かごを昇降させるエレベータの巻上装置において、上記駆動装置のハウジング１背面から突出し、上記ハウジングに一体的に形成された環状突起部９と、上記ハウジング背面と上記環状突起部により形成される空間部１０を覆う綱車カバー１６と、を備え、上記空間部に上記綱車を配設したことを特徴とする。【選択図】図２
2007246187.tif 000002
【特許請求の範囲】
【請求項１】
一端がかごに止着され、他端が釣り合いおもりに止着されるエレベータロープを綱車に巻き掛け、上記綱車を駆動装置により回転させて上記かごを昇降させるエレベータの巻上装置において、
上記駆動装置のハウジング背面から突出し、上記ハウジングに一体的に形成された環状突出部と、上記ハウジング背面と上記環状突出部により形成される空間部を覆う綱車カバーと、を備え、上記空間部に上記綱車を配設したことを特徴とするエレベータの巻上装置。
【請求項２】
上記綱車の端面にフィンを設けると共に、上記綱車の周りに霧状ロープ油除去手段を設けたことを特徴とする請求項１記載のエレベータの巻上装置。
【請求項３】
上記霧状ロープ油除去手段を波状フィルターで構成したことを特徴とする請求項２記載のエレベータの巻上装置。
【請求項４】
上記環状突出部の外周面にエレベータロープを囲うロープカバーを取り付け、上記環状突出部の外周面に対する上記ロープカバーの取り付け角度を調整可能に構成したことを特徴とする請求項１〜請求項３のいずれかに記載のエレベータの巻上装置。
【請求項５】
上記ロープカバーを、内部にそらせ車を収納するそらせ車カバーに連結する第１のロープカバーと、綱車からかご側へのエレベータロープを囲う第２のロープカバーとを含む構成とし、上記第１のロープカバーと上記第２のロープカバーの少なくとも一方のロープカバーに霧状ロープ油除去手段を設けたことを特徴とする請求項４記載のエレベータの巻上装置。
【請求項６】
上記エレベータロープが挿通するそらせ車カバーの開口部に霧状ロープ油除去手段を設けたことを特徴とする請求項５記載のエレベータの巻上装置。
【請求項７】
上記第２のロープカバーに連結するロープダクトの開口部に霧状ロープ油除去手段を設けたことを特徴とする請求項５又は請求項６記載のエレベータの巻上装置。
【発明の詳細な説明】
【技術分野】
【０００１】
この発明は、エレベータの巻上装置に係り、特に、エレベータロープに含浸されたロープ油が綱車の周囲に飛散するのを防止するロープ油飛散防止装置を備えたエレベータの巻上装置に関するものである。
【背景技術】
【０００２】
従来、一端がかごに止着され、他端が釣り合いおもりに止着されたエレベータロープ（以下、ロープと称する。）が巻き掛けられた綱車を駆動装置により回転させ、かごを昇降させるエレベータの巻上装置において、綱車を覆うカバーとして、綱車を覆うカバー本体と、綱車から釣り合いおもり側へそらせ車によってそらされたロープを覆うためにカバー本体に可動可能に取り付けられたロープカバー部材とを備え、このロープカバー部材をそらされたロープの角度にあわせてカバー本体に固定できるように構成したものがある（例えば、特許文献１参照）。
【０００３】
【特許文献１】特開平１１−７９６０４号公報（段落０００６、図１）
【０００４】
また、従来のエレベータの巻上装置においては、油を含んだロープを使用しており、このロープが綱車やそらせ車等を通過する際に、ロープに含まれた油、即ち、ロープ油が遠心力や振動により周囲に飛散する現象が生じている。特に、高速エレベータでは２：１ローピングが採用されており、ロープ速度がかご速度の２倍となるためにロープ油の飛散が一層著しくなる傾向にある。このため、ロープ油が綱車の周囲に飛散するのを防止する油飛散防止装置、即ち、綱車及びそらせ車全体を覆うカバーに、カバー内の空気を排気する排気装置を接続し、排気装置から排出される空気を浄化するフィルターを排気装置に設けてロープ油の周囲への飛散を防止する油飛散防止装置を備えたエレベータの巻上装置が提案されている（例えば、特許文献２参照）。
【０００５】
【特許文献２】特開平２００４−２０３５２３号公報（段落００２１、図１）
【発明の開示】
【発明が解決しようとする課題】
【０００６】
上記のように、従来からエレベータの巻上装置においては、綱車部をカバーで覆う構成がとられているが、上記特許文献１に開示された技術は、巻上装置の綱車部が設置される機械室でエレベータの保守・点検作業を行う作業員の安全性を高めるためのものであり、綱車の周囲にロープ油が飛散するのを防止する技術について開示するものではない。
【０００７】
また、特許文献２に開示された技術は、綱車の周囲に油が飛散するのを防止するために、綱車及びそらせ車全体をカバーで覆う技術を開示するものであるが、ここに開示されている技術では、飛散したロープ油がカバー外に飛散するのを防止できるものの、霧状に飛散したロープ油は、カバー内の空気中を漂い、ロープ挿通口等のカバー開口部から機械室や昇降路へ流出してしまうことになる。このため、空気中に漂うロープ油のブレーキ摺動面への付着により、ブレーキ制動力が低下したり、機械室や昇降路が汚れるといった問題があった。また、綱車及びそらせ車全体をカバーで覆い、排気装置にてカバー内の霧状のロープ油を排出する構造であるため、排気装置の設置によりコストが高くなる問題があった。
【０００８】
この発明は上記従来技術の課題を解決するために成されたもので、ロープに含浸されたロープ油が綱車の周囲に飛散するのを防止するのに、綱車を囲う構成を少ない部品点数で実現すると共に、排気装置の設置を必要としない簡易な構造のロープ油飛散防止装置を実現し、コスト増を抑制するエレベータの巻上装置を提供するものである。
【課題を解決するための手段】
【０００９】
この発明のエレベータの巻上装置は、一端がかごに止着され、他端が釣り合いおもりに止着されるエレベータロープを綱車に巻き掛け、上記綱車を駆動装置により回転させて上記かごを昇降させるエレベータの巻上装置において、上記駆動装置のハウジング背面から突出し、上記ハウジングに一体的に形成された環状突出部と、上記ハウジング背面と上記環状突出部により形成される空間部を覆う綱車カバーと、を備え、上記空間部に上記綱車を配設したものである。
【発明の効果】
【００１０】
この発明によるエレベータの巻上装置は、エレベータロープに含浸されたロープ油が綱車の周囲に飛散するのを防止するにあたり、綱車を囲う装置の製作を少ない部品点数で実現すると共に、排気装置の設置を必要としない簡易な構造で実現し、コスト増を抑制する効果を奏するものである。
【発明を実施するための最良の形態】
【００１１】
実施の形態１．
図１は、この発明の実施形態１におけるエレベータの巻上装置の正面を一部破断して示す一部破断正面図であり、図２はその中央縦断側面図を示すものである。
図１及び図２において、ハウジング１の内部には、図示しない巻線が巻かれた固定子２が装備されており、ハウジング１を貫通すると共に、軸受３にて回転可能に支持される回転軸４に永久磁石が貼り付けられた回転子５が締結されている。さらに回転子５の端面には、ブレーキディスク６が締結されており、このブレーキディスク６を挟み込むようにハウジング１の側面に、ブレーキ７が取り付けられている。なお、ハウジング１、固定子２、軸受３、回転軸４、回転子５、ブレーキディスク６、ブレーキ７等により駆動装置８を構成している。
【００１２】
ハウジング１の背面には、図２から理解されるように、円環状突出部９がハウジング１と一体形成されており、このハウジング１の背面と円環状突出部９により空間部１０が構成され、この空間部１０にハウジング１の背面より突出した回転軸４の軸端部に嵌合された綱車１１が配設されている。また、この綱車１１の溝部側面にはフィン１２が形成されている。
【００１３】
空間部１０には、ハウジング１の背面側を除く３方の面に霧状ロープ油除去手段である平面フィルター１３が設けられている。この平面フィルター１３は、空気を通し、且つ空気中に漂うロープ油を除去できるように、例えば、スポンジ状、あるいは細かい網目状素材からなる部材で構成されており、綱車１１の周りに設けられブラケット１４により円環状突出部９に固定されている。円環状突出部９及び平面フィルター１３には、それぞれロープ１５が挿通する穴（図示せず）が設けられており、ロープ１５がこれらの穴を通って綱車１１に巻き掛けられており、ハウジング１の背面と対向する円環状突出部９の端面には、綱車カバー１６が装着されている。なお、ロープ１５は、鋼製素線を含む複数本の子縄が麻縄からなる芯子縄の周囲に撚り合わされて形成されている。
【００１４】
実施の形態１によるエレベータの巻上装置は、上記のようにハウジング１の背面に設けた円環状突出部９により空間部１０が形成され、この空間部１０に綱車カバー１６を装着して綱車１０を囲う構成としているため、ロープ油飛散防止装置を構成するにあたり、綱車カバー１６の代用が可能となってカバー類の部品点数を削減することができ、コストダウンが図れると共に、据付作業の簡易化が実現できる。更に、ハウジング１の背面に形成された円環状突出部９の端面に、綱車カバー１６を取り付けことによって綱車１１の全体を囲って空間部１０を形成し、この空間部１０の内周にはハウジング１の背面側を除く３方の面に平面状フィルター１３を設けているので、ロープ挿通口等のカバー開口部から機械室や昇降路へ霧状のロープ油を飛散させず、ロープ油飛散防止の更なる効果を得ることができる。
【００１５】
また、このように構成されたエレベータの巻上装置において、綱車１１が回転すると、綱車１１の溝部側面に設けたフィン１２によって綱車１１の周りに図１中に白抜きの矢印で示すように空気の流れが発生し、この空気の流れによって、網車１１の周りの空気は、平面フィルター１３を通過してハウジング１の円環状突出部９の内側へ排気される。この空気が平面フィルター１３を通過する際、空気中に漂う霧状のロープ油が平面フィルター１３によって除去され、ロープ油の機械室や昇降路への流出を防ぐことができる。
【００１６】
実施の形態２．
図３は、この発明の実施形態２におけるエレベータの巻上装置の正面を一部破断して示す一部破断正面図である。この実施の形態２においては、霧状ロープ油除去手段として波状フィルター１３ａが綱車１１の周りを覆うようにして、ブラケット１４により円環状突出部９に固定されている。なお、その他の構成については、実施の形態１と同様であるので、同一符号を付すことによりその説明を省略する。
【００１７】
実施の形態２においては、霧状ロープ油除去手段が波状フィルター１３ａにより構成されているので、その表面積が実施の形態１のような平面状のものよりも大きくなるため、霧状に飛散したロープ油をより多く除去することができる。
【００１８】
実施の形態３．
図４は、この発明の実施形態３におけるエレベータの巻上装置及び機械室機器のカバー取り付け形態を示す外形図で、実施の形態１で説明した巻上装置に加え、そらせ車４０とロープカバー４１を図示したものである。
【００１９】
この実施の形態３においては、図５にその斜視図を示すロープカバー４１が、ハウジング１の背面でこのハウジング１と一体形成された円環状突出部９の外周面に取り付けられている。ロープカバー４１は、取り付け面４１ａが円弧状に形成されており、この取り付け面４１ａに長穴４１ｂが設けられている。このロープカバー４１の円弧状の取り付け面４１ａを、ハウジング１の円環状突出部９の外周面に合わせ、長穴４１ｂにボルトを挿通して、円環状突出部９の外周面に設けられたねじ穴（図示せず）へ締め込むことで、ロープカバー４１を固定する。なお、巻上装置の固定子、回転子等からなる駆動装置、あるいはハウジング１の背面と円環状突出部９により構成され空間部は実施の形態１と同様であり、その説明を省略する。
【００２０】
エレベータは、据付現場に応じてそらせ車４０の位置が異なるため、綱車１１とそらせ車４０間のロープ１５は角度が異なってくる。このような構成の巻上装置において、ロープカバー４１は、長穴４１ｂの範囲とハウジング１の円環状突出部９へ締め付けるボルトの位置を変えることによって、角度を自由に変えることができ、ロープ角度に合せての取り付けが容易となる。また、部品点数もロープカバー４１のみとなるため、全体的にコストダウンを図ることができる。
【００２１】
また、図５に示すロープカバー４１は、図４に示すように、釣り合いおもり側ではそらせ車カバー４２と接続する第１のロープカバー４１ｘとなり、かご側ではロープダクト４３と接続する第２のロープカバー４１ｙとなる。第１のロープカバー４１ｘのそらせ車カバー４２との接続端部には、霧状ロープ油除去手段として多層の平面状フィルター４４ｘが設けられ、そらせ車カバー４２及びロープダクト４３にも、それぞれ開口端部に霧状ロープ油除去手段として多層の平面状フィルター４４が設けられている。平面状フィルター４４には、ロープ１５が挿通するロープ穴（図示せず）が形成されている。このような構成により、そらせ車４２の周りの空気中に漂う霧状のロープ油や、空間部１０で除去しきれなかったロープ油は、そらせ車カバー４２及びロープダクト４３に設けられた平面状フィルター４４によって除去されることになり、より一層、霧状ロープ油の流出を防ぐことができる。なお、図４においては、第１のロープカバー４１ｘのそらせ車カバー４２との接続端部に多層の平面状フィルター４４ｘを設けた例を示しているが、第２のロープカバー４１ｙのロープダクト４３との接続端部に多層の平面状フィルターを設けてもよい。また、平面状フィルター４４、４４ｘは、必要に応じて波状フィルターとしてもよい。
【００２２】
なお、実施の形態３を、実施の形態１の巻上装置にそらせ車とロープカバーを付加した実施例について説明したが、実施の形態２の巻上装置、即ち、波形フィルターを用いた巻上装置にそらせ車とロープカバーを付加しても良いのは勿論であり、同様の効果を奏するものである。
【００２３】
また、上記各実施の形態においては、円環状突出部９がハウジング１の背面と一体形成した例について説明したが、円環状突出部９は必ずしもハウジング１の背面と一体形成する必要はなく、別部品として製造した円環状部品をねじ、あるいは溶接等でハウジング１の背面に固定することにより一体的に形成してもよい。また、円環状突出部９は円環状でなくとも、環状であればよい。
【産業上の利用可能性】
【００２４】
この発明によるエレベータの巻上装置は、鋼製素線を含む複数本の子縄が麻縄からなる芯子縄の周囲に撚り合わされ、芯子縄には油が含浸されている巻き上げロープを使用するエレベータに利用できる。
【図面の簡単な説明】
【００２５】
【図１】この発明の実施形態１におけるエレベータの巻上装置の正面を一部破断して示す一部破断正面図である。
【図２】図１に示すエレベータの巻上装置の中央縦断側面図を示すものである。
【図３】この発明の実施形態２におけるエレベータの巻上装置の正面を一部破断して示す一部破断正面図である。
【図４】この発明の実施形態３におけるエレベータの巻上装置及び機械室機器のカバー取り付け形態を示す外形図である。
【図５】図４に示すロープカバーの斜視図である。
【符号の説明】
【００２６】
１  ハウジング                          ２  固定子
３  軸受                                ４  回転軸
５  回転子                              ６  ブレーキディスク
７  ブレーキ                            ８  駆動装置
９  円環状突出部                      １０  空間部
１１  綱車                              １２  フィン
１３、４４、４４ｘ  平面状フィルター    １２ａ  波状フィルター
１４  ブラケット                        １５  ロープ
１６  綱車カバー                        ４０  そらせ車
４１  ロープカバー                      ４１ａ  取り付け面
４１ｂ  長穴                            ４１ｘ  第１のロープカバー
４１ｙ  第２のロープカバー              ４３  ロープダクト
【図１】
2007246187.tif 000003
【図２】
2007246187.tif 000004
【図３】
2007246187.tif 000005
【図４】
2007246187.tif 000006
【図５】
2007246187.tif 000007